(57)【要約】【課題】  販売用の商品陳列ケースとして好適であり、かつ、箸を携帯するための箸携帯ケースとしても好適である収納ケースと継ぎ箸と箸置きとからなる箸携帯セットを提供する。【解決手段】  収納ケース４は、収納した継ぎ箸等を商品陳列効果が高い平面配置にして収納する形式のものとし、収納ケース４に収納する継ぎ箸２，２と箸置き３は、連結部から分離した際の継ぎ箸２，２の手元側半部２Ｍ，２Ｍのながさに箸置き３の長さを加えた長さと、分離した先端側半部２Ｔ，２Ｔの長さとが同等となるように寸法関係を設定することによって、収納ケース４の所要寸法を抑え、携帯にも好適であるコンパクトな収納ケースに、商品販売におけるアピール効果の高い平面配置のまま収納し、陳列、販売し、携帯の利便性を向上させた。【選択図】  図１
2010158505.tif 000002
【特許請求の範囲】
【請求項１】
ケース本体とケース蓋とをヒンジ連結部を介して開閉自在に連結してなる収納ケースと、一対の継ぎ箸と、箸置きとからなり、
前記ケース本体とケース蓋とは、いずれも樹脂材料から型成形され、前記ヒンジ連結部を介して横並びの見開き状態に開動作可能に連結され、
前記一対の継ぎ箸は、それぞれ一対の手元側半部と先端側半部とに分離可能であって、分離した手元側半部の長さと前記箸置きの長さとの合計長さが分離した先端側半部の長さに略等しくなるように寸法設定されているとともに、前記箸置きの幅は、横並びに配置した一対の手元側半部の合計幅に略等しくなるように寸法設定され、
前記ケース本体は、並列配置された前記一対の手元側半部に対して前記箸置きを縦列配置するとともに、前記一対の先端側半部を縦列配置された手元側半部と箸置きを挟んでその左右位置に一本宛位置決めする位置決めリブを備えること、を特徴とする、
箸携帯セット。
【請求項２】
ケース本体とケース蓋とをヒンジ連結部を介して開閉自在に連結してなる収納ケースと、一対の継ぎ箸と、箸置きとからなり、
前記ケース本体とケース蓋とは、いずれも樹脂材料から型成形され、前記ヒンジ連結部を介して横並びの見開き状態に開動作可能に連結され、
前記一対の継ぎ箸は、それぞれ一対の手元側半部と一対の先端側半部とに分離可能であって、分離した手元側半部の長さと前記箸置きの長さとの合計長さが分離した先端側半部の長さに略等しくなるように寸法設定されるとともに、前記箸置きの幅は、横並びに配置した一対の手元側半部の合計幅に略等しくなるように寸法設定され、
前記ケース本体は、並列配置された前記一対の手元側半部に対して前記箸置きを縦列配置するとともに、前記一対の先端側半部を縦列配置された手元側半部と箸置きの一方の側方に並列配置して位置決めする位置決めリブを備えること、を特徴とする、
箸携帯セット。
【発明の詳細な説明】
【技術分野】
【０００１】
本発明は、販売に際しての商品陳列ケースの用途と、箸を携帯する用具としての箸箱の用途との双方の用途に好適に使用できる収納ケースと、継ぎ箸及び箸置きとを組み合わせてなる箸携帯セットに関する。
【背景技術】
【０００２】
温暖化効果ガスを吸収する資源の保護、および、焼却処理によって温暖化効果ガスを排出することになるゴミの削減の観点から、割り箸の安易な使用を控え、自前の箸を携帯するような人が増えている。
【０００３】
箸の携帯に関しては、箸の長さの中間部に着脱自在とした中間連結部を設け、使用時において連結して通常の長さとして使用するとともに、携帯時においては、中間連結部から手元側半部と先端側半部とに分離することによって長さを減じて携帯可能にした中継ぎ箸が広く流通するようになっている。着衣のポケットに収納できる長さであれば、職場へ持参するにしても、職場から近くのレストラン等に出向いて食事をするにしても携帯に便宜であるからである。
【０００４】
継ぎ箸は、携帯時の長さを減じることができるという利点を有する反面において、分離した際の部品点数が少なくとも四部品に増えるという問題を有する。この問題は、箸を販売する業者の視点から見て、販売時に四部品の扱いをどのようにするかという問題を提起するとともに、利用者の視点からは、四部品をどのように携帯するのかという問題を誘起している。
【先行技術文献】
【特許文献】
【０００５】
【特許文献１】大正１３年実用新案出願公告第５６８７号公報
【特許文献２】昭和１７年実用新案出願公告第５０５６号公報
【特許文献３】実開平４−３８７６４号公報
【特許文献４】特開平１１−３１８６７４号公報
【特許文献５】実用新案登録第３１２９９００号公報
【特許文献６】特開２００９−２８４７５号公報
【０００６】
携帯用の箸は、従来例では継ぎ箸が使用されているものが多く、その長さの略中間の位置で接続できるようにされており、その接続は、ネジ螺合（特許文献２ないし６参照）が大半を占めている。また、箸を分割した際に太い方の手元半部を中空に形成し、中空構造の手元側半部の内部に、箸を分割した際の細い方である先端側半部を収納することによって、四部品を二部品に変換して携帯性を高めるようにする工夫した（特許文献１参照）ものもある。その他として、孔と軸とのハメアイ方式であるものも存在する。
【０００７】
収納ケースについては、継ぎ箸をケースに化粧ケースのようにコンパクトにした箱状のものに収納（特許文献１，３，４参照）して携帯しやすくしたものがある。また、万年筆型の容器とし、その中央の孔に箸を収納して、洋服のポケットに着脱でき、携帯に利便ならしめた（特許文献２参照）ものもある。
【０００８】
そして、中仕切り状の係合ブロックを備え、その係合ブロックは、はし台としても使用できるよう工夫をした（特許文献５参照）提案もされている。さらには、ケースを折りたたみ式にして、その内部に複数の箸を収納でき、ケースを構成する部材が箸置きとなる（特許文献６参照）携帯用箸も存在する。
【発明の概要】
【発明が解決しようとする課題】
【０００９】
上記特許文献２ないし６で見られるように、箸の長さに対して略中央部で連結されている。一般的に箸を手持ちするとき、その箸の手元側半部の上端部から該箸の長さに対して先端側半部側に、およそ１／３下方に下がった位置で、親指、人指し指、中指に加えて薬指が一対の箸を支持し、二本で一対の箸を操っている。しかしながら、中間連結部での接続状態が緩んでいるときは、はさんだ食物が取り辛く感じてその結合関係に緩みがあることを知ることが多い。すなわち、指が接触している部分と、連結部分とが離れているので、指での感知がされ難いのである。
【００１０】
他方、販売業者の観点からは、たとえば、二部品化した箸をコンパクトな収納ケースに収納した状態で陳列しても、内部の状態，それを使用するとした場合の状況等が想定できないので、顧客に対するアピール効果は期待できないという懸念がある。このため、通常この種の箸の販売形態は、箸を四部品に分離して、収納ケースの横に並べて配置し、この状態を保つための別の陳列用ケースに収め、顧客が一見して箸の利用方法と携帯方法が理解できるようにして、販売する方法が採られる。この結果、箸携帯用の収納ケースが付属しているにもかかわらず、別に販売用の陳列ケースまたは販売用包装が用いられる無駄が生じている。
【００１１】
また、四部品化した箸を四部品のままできるだけコンパクトな収納ケースに収めるように工夫した提案例においても、販売業者の視点からは、上記と同じような問題がある。
【００１２】
本発明は、販売に際しての商品陳列ケースの用途と、箸を携帯する用具としての箸箱と、継ぎ箸及び箸置きとの組合せによる箸携帯セットを提供することを目的とする。
【課題を解決するための手段】
【００１３】
この目的を達成するため本発明では、つぎのような構成を採用している。
【００１４】
本発明の箸携帯セットは、ケース本体とケース蓋とをヒンジ連結部を介して開閉自在に連結してなる収納ケースと、一対の継ぎ箸と、箸置きとからなる。ケース本体と蓋とは、いずれも樹脂材料から型成形され、ヒンジ連結部を介して横並びの見開き状態に開動作可能に連結されている。一対の継ぎ箸は、それぞれ一対の手元側半部と、一対の先端側半部とに分離可能である。分離した継ぎ箸の手元側半部の長さと箸置きの長さとの合計長さは、分離した先端側半部長さに略等しくなるように寸法設定されている。また、箸置きの幅は、横並びに配置した一対の手元側半部の合計幅に略等しくなるように寸法設定されている。さらに、ケース本体は、並列配置された一対の手元側半部に対して箸置きを縦列配置するとともに、一対の先端側半部を縦列配置された手元側半部と箸置きを挟んでその左右位置に一本宛位置決めする位置決めリブを備えることを特徴とする。
【００１５】
また、本発明の別の構成は、他の構成は上記と同一とすることを前提として、ケース本体は、並列配置された一対の手元側半部に対して箸置きを縦列配置するとともに、継ぎ箸の一対の先端側半部を縦列配置された手元側半部と箸置きの一方の側方に並列配置に位置決めリブを備えることを特徴とする。
【００１６】
すなわち、本発明の箸携帯セットは、収納ケースと、一対一揃えの継ぎ箸と、一個の箸置きとをセットの構成部材としている。
【００１７】
収納ケースを構成するケース本体とケース蓋とは、いずれも樹脂材料の成形品であることから、水洗いして繰り返し使用が可能であり、箸箱として箸を携帯する用途に適する。ケース蓋は、ヒンジ連結部を介して開閉自在であり、横並びの見開き状態に開動作することもできる。このケース蓋の開き方は、開いた際に死角となる部分が生じないため内部の商品を見せて、販売する際の陳列ケースとしてもっとも有利な開閉方式であると同時に、もっとも簡単に内部洗浄をすることができる開き方でもある。
【００１８】
継ぎ箸における上記のような寸法設定は、分離した一対の手元側半部に縦列に箸置きを配置したときの合計長さと先端側半部の長さとを同等の長さにすることができるとともに、一対の手元側半部の合計幅と箸置きの幅とを同等の幅とすることができる。したがって、全体として箸の四部品と箸置きとを最も少ない面積内に平面的に配置することが可能であり、これらを収納するためのケースの縦横高さ寸法をポケットに収納可能なポケットサイズに抑えることができるのである。
【００１９】
上記のような寸法設定に基づき、一対の継ぎ箸として連結したとき、その中間連結部分は手元側半部側に先端側半部がその長さ方向で接近し、手持ちする親指と人指し指、さらには中指、薬指に接近、または、その指のいずれかが接触することとなり、中間連結部分で緩みがあるときは、指で感知しやすい。すなわち、箸で挟むように食物を取るときに、中間連結部の緩みを指で感知できるのである。
【００２０】
一対の継ぎ箸の手元側半部と、先端側半部及び箸置きの具体的配置態様は、並列配置された一対の手元側半部に対して、箸置きを縦列配置するとともに、縦列は位置された手元側半部と、箸置きを挟んでその左右に継ぎ箸の先端側半部が、一本宛並列配置となるように配置され、この配置は、ケース本体の位置決めリブによって維持される。
【００２１】
また、上記配置態様に代えて、並列配置された一対の手元側半部に対して箸置きを縦列配置するとともに、縦列配置された手元側半部と、箸置きの側方に並列配置した一対の先端側半部が、並列配置となる配置態様とすることもできる。
【００２２】
上記いずれの配置態様を採用する場合においても、これらを収納する上で必要とされるケース本体の所要サイズは、単純計算による内方寸法で、長さが継ぎ箸の先端側半部の長さ相当、幅が、並列された一対の先端側半部と一対の手元側半部の合計幅相当のコンパクトなサイズで足りることになる。ただし実際には、これらの部材間にケース本体に設ける位置決めリブが入り込むため、この分の所要幅が必要となるが、位置決めリブには大きな力が加わるようなことはないので、その厚みは無視し得る程度に抑えることができる。
【発明の効果】
【００２３】
本発明の箸携帯セットは、継ぎ箸の手元側半部と先端側半部と箸置きの寸法関係と、および、セット構成部材の配置の仕方とを見直すことによって、分離した箸の四部品と箸置きとを最も少ない面積内に平面配置可能とすることによって、これらをもっとも陳列効果の高い平面配置された状態で収納する収納ケースのサイズをコンパクト化し、収納ケースに、販売に際しての商品陳列ケース用途と、箸の携帯ケースとしての用途との双方の用途に対する適合性を持たせ、箸の携帯用ケースが付属しているにもかかわらず、その他の商品陳列ケースや、販売用包装を使用する慢性的な過剰包装販売状態を解消することに寄与することができる。
【００２４】
さらには、手元側半部の長さは、先端側半部の長さよりも少なくとも箸置きの長さ分短くなっているので、一本の継ぎ箸、一対の箸として使用するとき、その箸の持ち手の親指と人指し指、中指、薬指のいずれかが中間連結部近く、もしくは、直接触れることとなり、中間連結部分での緩みによるがたつきが発生した場合でも、そのがたつきを即刻指で感知できるので、箸での挟み損ないによって気付くようなことが避けられる。
【図面の簡単な説明】
【００２５】
【図１】本発明の箸携帯セットの実施の形態を収納ケースを開いて示す平面図。
【図２】上記実施の形態における収納ケースの平面図。
【図３】上記実施の形態における収納ケースの正面図。
【図４】上記実施の形態における収納ケースの側面図。
【図５】上記実施の形態における箸と箸置きの寸法対比図。
【図６】（Ａ）上記実施の形態における図１のＡ−Ａ線矢視断面相当図。  （Ｂ）上記実施の形態における図１のＢ−Ｂ線矢視断面相図。（Ｃ）上記実施の形態における図１のＣ−Ｃ線矢視断面相図。（Ｄ）上記実施の形態における図１のＤ−Ｄ線矢視断面相図。
【図７】（Ａ）上記実施の形態における図１のＥ−Ｅ線矢視断面相図。       （Ｂ）上記実施の形態における図１のＦ−Ｆ線矢視断面相図。
【図８】本発明の箸携帯セットの他の実施形態を示す斜視図。
【図９】上記実施の形態における収納ケースを開いて示す平面図。
【発明を実施するための形態】
【００２６】
以下、図面を引用しながら本発明の箸携帯セットの実施の形態を説明する。
【００２７】
箸携帯セットは、それぞれ一対の手元側半部２Ｍ，２Ｍと先端側半部２Ｔ，２Ｔとからなる一対の継ぎ箸２，２と、箸置き３と、これらを収納する収納ケース４とから構成される（図１）。
【００２８】
収納ケース４は、いずれも浅い角皿状に成形した樹脂製のケース本体４Ｍとケース蓋４Ｐとをヒンジ連結部４Ｊを介して開閉自在に連結した構造である（図１ないし図４）。ヒンジ連結部４Ｊは、収納ケース４の長手方向に配置され、ケース本体４Ｍとケース蓋４Ｐとは、横並びの見開き状態に開動作することができ、一対の継ぎ箸２，２および箸置き３は、すべてケース本体４Ｍ側に収納される。
【００２９】
収納ケース４には、収納ケース４を閉じたときにヒンジ連結部４Ｊの反対側の側面を構成することとなるケース本体４Ｍと、ケース蓋４Ｐとに、掛止爪４Ｃ，４Ｃ…が突設されている。この掛止爪４Ｃ，４Ｃ…には、収納ケース４を閉じた際に対応する位置の掛止部に掛合することによって閉状態を維持することができる。また、収納ケース４の側面には、爪掛け用の凹陥部４Ｎ，４Ｎが設けられ、収納ケース４を開く際に利用することができる（図３）。
【００３０】
収納ケース４のサイズは、長さ４Ｌが略１４０ｍｍ、幅４Ｗが略４５ｍｍ、厚さ４Ｄが略１３ｍｍのポケットサイズに設定され（図２ないし図４）、上着の内ポケット等に無理なく収納することができる。そして、収納ケース４は、このポケットサイズながら大人用の一対の継ぎ箸２，２を構成する四部品と箸置き３との合計五部材を、商品陳列ケースとしても十分に使用可能な視覚的アピール効果の高い平面配置の状態で収納することができる（図１）。
【００３１】
箸携帯セット構成部材の平面配置を前提としながら、収納ケース４をコンパクトなものにするため、継ぎ箸２，２の手元側半部２Ｍ，２Ｍと先端側半部２Ｔ，２Ｔと箸置き３の寸法関係が工夫されている（図１，図５）。換言すると、箸置き３を収納するスペースを手元側半部２Ｍ，２Ｍの前方に設けている。したがって、一本の継ぎ箸２として手元側半部２Ｍと先端側半部２Ｔとを連結したとき、その中間連結部は一本の継ぎ箸２の長さに対しての中央ではなく、手元側半部２Ｍ側に偏った位置となる。この結果、一対の継ぎ箸２，２を手持ちする親指、人指し指、中指および薬指のいずれかの指が中間連結部に直接触れるか、もしくは、指がその連結部の近傍に触れる。
【００３２】
一対の継ぎ箸２，２は、それぞれ手元側半部２Ｍ，２Ｍに継ぎ手軸２Ｊ，２Ｊを突設するとともに、先端側半部２Ｔ，２Ｔに継ぎ手孔２Ｈ，２Ｈを設け、継ぎ手軸２Ｊと継ぎ手孔２Ｈとを緊密嵌合させて一体化する形式（ハメアイ方式）の中間連結部を有し、手元側半部２Ｍ，２Ｍと先端側半部２Ｔ，２Ｔとを簡単に分離し、または連結することができるのである。
【００３３】
箸置き３は、板かまぼこ状断面の樹脂ブロックの上面に、箸を位置決めするための凹曲面３Ｓを形成した一般的なものである（図５，図６（Ａ），図７（Ｂ））。
【００３４】
上記箸携帯セットの構成部材の寸法関係は、分離した継ぎ箸２，２の先端側半部２Ｔの長さ２Ｘと、継ぎ手軸２Ｊを含む手元側半部２Ｍの長さ２Ｌと箸置き３の長さ３Ｌとの合計長さが略等しく、また、揃えて横並びした手元側半部２Ｍ，２Ｍの合計幅２Ｗと箸置き３の幅３Ｗに略等しくなるよう設定されている（図５）。
【００３５】
収納ケース４のケース本体４Ｍの底面には、手元側半部２Ｍ，２Ｍと先端側半部２Ｔ，２Ｔの箸置き３とを所定の平面配置で、位置決めする位置決めリブＲ１…Ｒ４が立設されている（図１）。これらの位置決めリブＲ１…Ｒ４は、いずれもケース本体４Ｍと一体成形され、ケース本体４Ｍを幅方向に横断する向きに、ケース本体４Ｍの四箇所に分散して配置されている。各位置決めリブＲ１…Ｒ４相互の間隔は、不均等である。
【００３６】
本実施の形態における箸携帯セットの構成部材の具体的配置は、ケース本体４Ｍの中央位置に一対の手元側半部２Ｍ，２Ｍと箸置き３とを縦列に配置し、その左右に一対の先端側半部２Ｔ，２Ｔを一本宛振り分けて並列に配置した状態である。位置決めリブＲ１…Ｒ４は、これらの部材をその位置に安定に拘束することができる（図１，図６，図７）。
【００３７】
位置決めリブＲ１は、箸置き３とその両側に位置する継ぎ箸２，２の先端側半部２Ｔ，２Ｔの先端部を位置決めしている（図１，図６（Ａ），図７（Ａ））。位置決めリブＲ１による位置決め方法は、位置決めリブＲ１…Ｒ４に、その位置に設定した箸携帯セットの構成部材が、嵌り込む凹陥部を設ける方法である。この結果、凹陥部に嵌り込んだ部材は、左右から挟まれた状態で拘束されることとなる。なお、このような位置決め方法は、位置決めリブＲ２を除き、他の位置決めリブＲ３，Ｒ４についても同様である。
【００３８】
位置決めリブＲ２は、箸置き３の位置決め専用であり、箸置き３の一方の端面に沿って配置されている（図１，図６（Ａ），図７（Ａ））。箸置き３の幅方向については、上記位置決めリブＲ１によって既に拘束されており、位置決めリブＲ２は、箸置き３の長手方向についての位置ずれを阻止するよう機能する。
【００３９】
位置決めリブＲ３は、手元側半部２Ｍ」２Ｍの継ぎ手軸２Ｊ，２Ｊ部分を落とし込むことによって手元側半部２Ｍ，２Ｍの一端を位置決めしている（図１，図６（Ｃ）、図７（Ｂ））。
【００４０】
また、位置決めリブＲ４は、一対の手元側半部２Ｍ，２Ｍと、一対の先端側半部２Ｔ，２Ｔの基部寄り部分を落とし込んで、位置決めしている（図１，図６（Ｄ），図７（Ｂ））。
【００４１】
この結果、位置決めリブＲ１…Ｒ４は、箸置き３については二方向について、また、手元側半部２Ｍ，２Ｍと先端側半部２Ｔ，２Ｔについては、長手方向に離れた二箇所を拘束していることとなり、携帯中における部材の移動や携帯音の発生が阻止される。なお、各部材の上下方向の移動については、ケース蓋４Ｐを閉じることによって阻止される（図６，図７）。
【他の実施の形態】
【００４２】
収納ケース４は、上記実施の形態に示す収納ケース４と同等にコンパクトなサイズ内においてユーザの多様な好みに応じて適宜デザインを変更することができる（図８）。また、箸構成部材の配置は、本発明の趣旨の範囲内において別の配置とすることができる（図９）。
【００４３】
収納ケース４は、たとえば、角部を明確に現した男性的なデザインとすることができる（図８，図９）。ケース本体４Ｍとケース蓋４Ｐとを連結するヒンジ連結部４Ｊ，４Ｊには、オフセットタイプものが採用され、ケース蓋４Ｐは、ケース本体４Ｍの側方への移動を伴いながら開くことができる（図８の二点鎖線）。また、ケース本体４Ｍとケース蓋４Ｐとの固定には、掛止爪４Ｃとプッシュボタン４Ｋとの組合せによるポップアップ方式のものが採用され、プッシュボタン４Ｋを押すことによって、両者の掛止状態が解消されるとともに、さらに、掛止爪４Ｃが押し上げられてケース蓋４Ｐが自動的に浮き上がるように動作することができる。
【００４４】
また、セット構成部材の配置としては、縦列配置した手元側半部２Ｍ，２Ｍと箸置き３の一方の側方に先端側半部２Ｔ，２Ｔを二本並べて配置する形態の配置が採用されている（図９）。このような配置としても、上記実施の形態における配置と比較して、収納ケース４のサイズが増大することはないからである（図１参照）。この際、継ぎ箸２，２および箸置き３がケース本体４Ｍに一体成形された位置決めリブＲ１…Ｒ４によって位置決めされることも上記実施の形態と同様である。
【００４５】
本実施例においても、収納ケース４をコンパクトにするため、継ぎ箸２，２の手元側半部２Ｍ，２Ｍと先端側半部２Ｔ，２Ｔと箸置き３の寸法関係は、上述と同じように工夫されている（図５，図９）。すなわち、箸置き３を収納するスペースを手元側半部２Ｍ，２Ｍの前方に設け、手元側半部２Ｍ，２Ｍの長さ２Ｌ，２Ｌを箸置き３の長さ３Ｌ分、先端側半部２Ｔ，２Ｔの長さ２Ｘから箸置き３の長さ３Ｌを差し引いた長さとしている。これによって、連結して使用するとき、継ぎ箸２，２の中間連結部に持ち手の親指、人指し指、薬指及び中指のいずれかの指がその中間連結部に直接接触するか、もしくは、中間連結部の近傍で触れるので、連結部が緩んでがたつくようであれば、指で感知できるのである。したがって、食事が安全にし易くなる。
【符号の説明】
【００４６】
Ｒ１…Ｒ４  位置決めリブ
２          継ぎ箸
２Ｌ        手元側半部の長さ
２Ｍ        手元側半部
２Ｔ        先端側半部
２Ｘ        先端側半部の長さ
２Ｗ        手元側半部の合計幅
３          箸置き
３Ｌ        箸置きの長さ
３Ｗ        箸置きの幅
４          収納ケース
４Ｍ        ケース本体
４Ｐ        ケース蓋
４Ｊ        ヒンジ連結部
【図１】
2010158505.tif 000003
【図２】
2010158505.tif 000004
【図３】
2010158505.tif 000005
【図４】
2010158505.tif 000006
【図５】
2010158505.tif 000007
【図６】
2010158505.tif 000008
【図７】
2010158505.tif 000009
【図８】
2010158505.tif 000010
【図９】
2010158505.tif 000011